(57)【特許請求の範囲】
【請求項１】
電気製品の外装をなす外ケースと、
前記外ケースに形成され、前記電気製品の電源コードを収納するための凹状のコード収納部と、
前記コード収納部を開閉自在に塞ぐ蓋部と、を備え、
前記蓋部は、
前記蓋部の下側が前記外ケースに回転可能に軸支されて、前記蓋部が開いた状態で前記蓋部の上側が前記外ケースから離間し、
前記蓋部の少なくとも左右両側に設けられ、前記コード収納部の側へと突出した壁部と、
前記電源コードのプラグ部を保持するプラグ保持部と、を備え、
前記プラグ保持部は、前記蓋部が閉じた状態で前記プラグ部の栓刃が前記コード収納部の側へと突出するように前記プラグ部を保持し、
前記コード収納部には、前記プラグ保持部に保持された前記プラグ部の前記栓刃が通る逃がし孔が形成された電気製品の筐体。
【請求項２】
前記壁部は、前記蓋部の前記左右両側と前記上側の三方に設けられる請求項１に記載の電気製品の筐体。
【請求項３】
前記蓋部が開いた状態で前記蓋部の上側が前記電気製品の設置面に接触し得る請求項１又は請求項２に記載の電気製品の筐体。
【請求項４】
前記電源コードは、前記コード収納部の内側から前記外ケースの外部に延びて設けられ、
前記蓋部には、前記電気製品の使用時に前記コード収納部から前記電源コードを引き出すための切欠部が形成された請求項１から請求項３のいずれか一項に記載の電気製品の筐体。
【請求項５】
前記電源コードは、前記コード収納部の外側から前記外ケースの外部に延びて設けられ、
前記蓋部には、前記電気製品の未使用時に前記コード収納部に前記電源コードを引き入れるための切欠部が形成された請求項１から請求項３のいずれか一項に記載の電気製品の筐体。
【請求項６】
前記電気製品は、除湿機であり、
前記外ケースは、前記除湿機を移動させる際に使用者が持つためのハンドルを備えた請求項１から請求項５のいずれか一項に記載の電気製品の筐体。
【請求項７】
前記蓋部には、ドレンホースを通すためのホース通過部が設けられた請求項６に記載の電気製品の筐体。
【請求項８】
前記蓋部は、前記ホース通過部を開閉自在に塞ぐホース蓋部を備えた請求項７に記載の電気製品の筐体。
【発明の詳細な説明】
【技術分野】
【０００１】
この発明は、電気製品の筐体に関するものである。
【背景技術】
【０００２】
電気製品の筐体においては、筐体内に電源コードを収納する電源コード収納部が設けられ、この収納部に対し蓋が開閉可能に設けられ、蓋の電源コード収納部側の側面に電源コードを巻き付けるためのガイドを設けたものが知られている（例えば、特許文献１参照）。
【先行技術文献】
【特許文献】
【０００３】
【特許文献１】日本実開平０５−０１８０６９号公報
【発明の概要】
【発明が解決しようとする課題】
【０００４】
電気製品の中には、電源コードとしてキャブタイヤコードを使用しているものもある。電源コードがキャブタイヤコードであった場合、一般的にキャブタイヤコードは、いわゆるビニル平型コードと比較して、太くて柔軟性が低い。したがって、特許文献１に示されるような電気製品の筐体においては、キャブタイヤコードをガイドに巻き付けることが困難である。また、キャブタイヤコードを無理にガイドに巻き付けると、キャブタイヤコードを傷めてしまうおそれがある。さらに、例えば、ＢＦタイプ等のサイズが大きいプラグを収納するのも困難である。【０００５】
この発明は、このような課題を解決するためになされたものである。その目的は、ビニル平型コードと比較して太くて柔軟性が低いキャブタイヤコード等を使用した電源コードであっても、コードを傷めることなく容易に収納することができる電気製品の筐体を得ることにある。
【課題を解決するための手段】
【０００６】
この発明に係る電気製品の筐体は、電気製品の外装をなす外ケースと、前記外ケースに形成され、前記電気製品の電源コードを収納するための凹状のコード収納部と、前記コード収納部を開閉自在に塞ぐ蓋部と、を備え、前記蓋部は、前記蓋部の下側が前記外ケースに回転可能に軸支されて、前記蓋部が開いた状態で前記蓋部の上側が前記外ケースから離間し、前記蓋部の少なくとも左右両側に設けられ、前記コード収納部の側へと突出した壁部と、前記電源コードのプラグ部を保持するプラグ保持部と、を備え、前記プラグ保持部は、前記蓋部が閉じた状態で前記プラグ部の栓刃が前記コード収納部の側へと突出するように前記プラグ部を保持し、前記コード収納部には、前記プラグ保持部に保持された前記プラグ部の前記栓刃が通る逃がし孔が形成される。
【発明の効果】
【０００７】
この発明に係る電気製品の筐体においては、ビニル平型コードと比較して太くて柔軟性が低いキャブタイヤコード等を使用した電源コードであっても、コードを傷めることなく容易に収納することができるという効果を奏する。
【図面の簡単な説明】
【０００８】
【図１】この発明の実施の形態１に係る電気製品の筐体を備えた除湿機の正面斜視図である。
【図２】この発明の実施の形態１に係る除湿機のコード収納蓋部を閉じた状態を示す背面斜視図である。
【図３】この発明の実施の形態１に係る除湿機のコード収納蓋部の開閉途中の状態を示す背面斜視図である。
【図４】この発明の実施の形態１に係る除湿機のコード収納蓋部を開いた状態を示す背面斜視図である。
【図５】この発明の実施の形態１に係る除湿機のコード収納蓋部を開いた状態を示す背面斜視図である。
【図６】この発明の実施の形態１に係る除湿機のコード収納蓋部を開いた状態を示す側面図である。
【図７】この発明の実施の形態１に係るコード収納蓋部のホース蓋部を閉じた状態を示す斜視図である。
【図８】この発明の実施の形態１に係るコード収納蓋部に第１種電源コードを置いた状態を示す斜視図である。
【図９】この発明の実施の形態１に係るコード収納蓋部に第２種電源コードを置いた状態を示す斜視図である。
【図１０】この発明の実施の形態１に係るコード収納蓋部のホース蓋部を開いた状態を示す斜視図である。
【図１１】この発明の実施の形態１に係る除湿機のドレンホースを取り付けた状態を示す断面斜視図である。
【発明を実施するための形態】
【０００９】
この発明を実施するための形態について添付の図面を参照しながら説明する。各図において、同一又は相当する部分には同一の符号を付して、重複する説明は適宜に簡略化又は省略する。なお、本発明は以下の実施の形態に限定されることなく、本発明の趣旨を逸脱しない範囲で種々変形することが可能である。
【００１０】
実施の形態１．
図１から図１１は、この発明の実施の形態１に係るもので、図１は電気製品の筐体を備えた除湿機の正面斜視図、図２は除湿機のコード収納蓋部を閉じた状態を示す背面斜視図、図３は除湿機のコード収納蓋部の開閉途中の状態を示す背面斜視図、図４及び図５は除湿機のコード収納蓋部を開いた状態を示す背面斜視図、図６は除湿機のコード収納蓋部を開いた状態を示す側面図、図７はコード収納蓋部のホース蓋部を閉じた状態を示す斜視図、図８はコード収納蓋部に第１種電源コードを置いた状態を示す斜視図、図９はコード収納蓋部に第２種電源コードを置いた状態を示す斜視図、図１０はコード収納蓋部のホース蓋部を開いた状態を示す斜視図、図１１は除湿機のドレンホースを取り付けた状態を示す断面斜視図である。
【００１１】
ここでは、この発明の実施の形態１に係る筐体を備えた電気製品として除湿機１を例に挙げて説明する。除湿機１である電気製品の筐体は、前側外ケース１００及び後側外ケース２００を備えている。前側外ケース１００及び後側外ケース２００は、除湿機１（電気製品）の外装をなす外ケースである。図１及び図２に示すように、前側外ケース１００は、除湿機１の前側半分の外装である。また、後側外ケース２００は、除湿機１の後側半分の外装である。
【００１２】
前側外ケース１００の上部には、操作パネル１１０が設けられている。操作パネル１１０は、除湿機１の使用者が操作するスイッチ等が備えられている。また、操作パネル１１０には、除湿機１の使用者に対して当該除湿機１の各種情報を表示する表示装置も設けられている。
【００１３】
後側外ケース２００には、吸込口２１０及び吹出口２２０が形成されている。吸込口２１０は、除湿機１の内部に空気を取り込むための開口である。吸込口２１０は、後側外ケース２００の背面部に配置されている。吹出口２２０は、除湿機１の外部に除湿後の空気を吹き出すための開口である。吹出口２２０は、後側外ケース２００の上部に配置されている。
【００１４】
除湿機１は、ハンドル１１を備えている。ハンドル１１は、使用者が除湿機１を移動させる際に持つためのものである。ハンドル１１は、例えば、後側外ケース２００の上部に取り付けられている。ハンドル１１は、後側外ケース２００に対して回転させることができ、寝かせた状態と立たせた状態とにすることが可能である。使用しないときはハンドル１１を寝かせておき、使用するときにハンドル１１を立たせて使用者が掴むことができる。
【００１５】
図３から図５に示すように、後側外ケース２００には、コード収納部２３０が形成されている。コード収納部２３０は、凹状に形成される。ここでは、コード収納部２３０は、正面視で矩形の有底箱状の凹みとして形成されている。そして、コード収納部２３０の後方側は開口されている。また、ここでは、コード収納部２３０は、後側外ケース２００の背面部に向かって左側の下部に配置されている。コード収納部２３０は、除湿機１（電気製品）の電源コードを収納するためのものである。電源コードは、商用電源から電気製品である除湿機１を動作させるための電力を供給するためのものである。
【００１６】
図３から図５に示すのは、除湿機１（電気製品）の電源コードとして第１種電源コード４００を備えた例である。第１種電源コード４００は、第１種プラグ部４１０と第１種コード４２０とを備えている。第１種プラグ部４１０は、３本の栓刃を有するＢＦタイプのプラグである。第１種コード４２０は、キャブタイヤ型のコードである。第１種プラグ部４１０は、除湿機１の使用時に商用電源のコンセントに接続される。
【００１７】
図２から図４に示す例では、第１種電源コード４００は、第１の電源コード出口２０１から後側外ケース２００の外部に延びて設けられている。第１の電源コード出口２０１は、コード収納部２３０の外側に配置されている。具体的にここでは、第１の電源コード出口２０１は、後側外ケース２００の背面部に向かって右側の下部に配置されている。つまり、第１種電源コード４００は、コード収納部２３０の外側から後側外ケース２００の外部に延びて設けられている。第１種コード４２０の一端に第１種プラグ部４１０が接続されている。第１種コード４２０の他端側は、第１の電源コード出口２０１から後側外ケース２００の内部に入っている。
【００１８】
一方、図５に示す例では、第１種電源コード４００は、第２の電源コード出口２３１から後側外ケース２００の外部に延びて設けられている。第２の電源コード出口２３１は、コード収納部２３０の内側に配置されている。つまり、第１種電源コード４００は、コード収納部２３０の内側から後側外ケース２００の外部に延びて設けられている。
【００１９】
後側外ケース２００には、コード収納蓋部３００が設けられている。コード収納蓋部３００は、コード収納部２３０を開閉自在に塞ぐ蓋部である。以下においては、コード収納蓋部３００の各部について、図２に示すコード収納蓋部３００が閉じた状態で、後側外ケース２００の背面部に向かって見たときを基準にして、その上下左右の位置と方向を特定する。
【００２０】
コード収納蓋部３００の下側は、後側外ケース２００に回転可能に軸支されている。前述したように、図２に示すのは、コード収納蓋部３００が閉じた状態である。図３に示すように、コード収納蓋部３００は、後側外ケース２００に対して軸支された下側の部分を中心にして回転することで、コード収納部２３０の開口を開閉する。そして、図４及び図５に示すように、コード収納蓋部３００が開いた状態では、コード収納蓋部３００の上側が後側外ケース２００から離間する。
【００２１】
また、図６に示すように、除湿機１は、キャスター１２を備えている。キャスター１２は、例えば後側外ケース２００の底面に取り付けられている。除湿機１は、同図に示すように、キャスター１２が設置面Ｐに接触した状態で設置面Ｐ上に設置される。コード収納蓋部３００が開いた状態でコード収納蓋部３００の上側が設置面Ｐに接触し得るようになっている。コード収納蓋部３００の下部は、設置面Ｐから一定距離だけ上方に離間した位置で、後側外ケース２００に軸支されている。このため、コード収納蓋部３００が開いてコード収納蓋部３００の上側が設置面Ｐに接触した状態では、コード収納蓋部３００の下側が高くコード収納蓋部３００の上側が低くなるようにコード収納蓋部３００が傾斜している。
【００２２】
次に、図７を参照しながらコード収納蓋部３００の構成について説明する。同図に示すように、コード収納蓋部３００は、全体として、正面視で矩形を呈する有底箱状である。コード収納蓋部３００は、蓋主面部３０１、下側壁部３１１、左側壁部３１２、上側壁部３１３及び右側壁部３１４を備えている。蓋主面部３０１は、矩形平板状を呈する。蓋主面部３０１は、コード収納蓋部３００が閉じた際に、コード収納部２３０の開口を塞ぐ部分である。
【００２３】
下側壁部３１１は、蓋主面部３０１の下縁部に沿って、蓋主面部３０１に対し直立して設けられる。左側壁部３１２は、蓋主面部３０１の左縁部に沿って、蓋主面部３０１に対し直立して設けられる。上側壁部３１３は、蓋主面部３０１の上縁部に沿って、蓋主面部３０１に対し直立して設けられる。そして、右側壁部３１４は、蓋主面部３０１の右縁部に沿って、蓋主面部３０１に対し直立して設けられる。図２から図６に示すように、コード収納蓋部３００がコード収納部２３０に取り付けられると、下側壁部３１１、左側壁部３１２、上側壁部３１３及び右側壁部３１４は、蓋主面部３０１からコード収納部２３０の側へと突出した状態になる。
【００２４】
なお、これらの壁部は、コード収納蓋部３００の少なくとも左右両側に設けられていればよい。すなわち、少なくとも左側壁部３１２と右側壁部３１４とが設けられていればよい。ただし、壁部は、コード収納蓋部３００の左右両側と上側の三方に設けられることが好ましい。すなわち、左側壁部３１２と上側壁部３１３と右側壁部３１４とが設けられることが好ましい。ただし、ここで説明する図７から図１０に示すように、コード収納蓋部３００の上下左右の四方全てに壁部を設けることは妨げられない。
【００２５】
コード収納蓋部３００は、一対の軸部３２１を備えている。軸部３２１は、左側壁部３１２と右側壁部３１４における下側壁部３１１寄りの位置にそれぞれ設けられている。軸部３２１は、左側壁部３１２と右側壁部３１４のそれぞれの外面から外方に突出した突起部である。軸部３２１は、コード収納蓋部３００でコード収納部２３０を開閉する際に、後側外ケース２００に対してコード収納蓋部３００を回転させる回転軸となる部位である。軸部３２１をコード収納部２３０の軸支持部（図示せず）に係合させることで、コード収納蓋部３００が後側外ケース２００に取り付けられる。コード収納部２３０の軸支持部は、例えばコード収納部２３０の側壁部に形成される。
【００２６】
蓋主面部３０１には、プラグ保持部３４１、コードガイド部３４２、第１種プラグ用ガイド３４３及び第２種プラグ用ガイド３４４が設けられている。プラグ保持部３４１は、除湿機１の電源コードのプラグ部を保持するものである。コードガイド部３４２は、プラグ保持部３４１で除湿機１の電源コードのプラグ部を保持した際に、コードが配置される適切な方向を案内する。
【００２７】
第１種プラグ用ガイド３４３は、第１種電源コード４００をコード収納蓋部３００に置く際に、第１種プラグ部４１０を配置する向き及び位置を示している。ここでは、第１種プラグ用ガイド３４３は、例えば、適切な向き及び位置で配置された第１種プラグ部４１０の外形に合わせて線状に突起して設けられている。
【００２８】
コード収納蓋部３００には、第１の切欠部３３１が形成されている。第１の切欠部３３１は、右側壁部３１４から蓋主面部３０１にかけて形成されている。すなわち、右側壁部３１４の下側壁部３１１寄りの部分は途切れており、右側壁部３１４に隙間が形成されている。そして、この右側壁部３１４の隙間に接続するようにして、蓋主面部３０１が半円状に欠けている。
【００２９】
以上のように構成された電気製品の筐体において、電気製品である除湿機１の電源コードをコード収納部２３０に収納する場合、使用者は、電源コードを直接にコード収納部２３０内に入れるのではなく、図４又は図５に示すようにまず電源コードをコード収納蓋部３００に置き、その後にコード収納蓋部３００を閉めることで、電源コードをコード収納部２３０内に収納することができる。
【００３０】
特に、電源コードとして第１種電源コード４００のようなキャブタイヤ型のコードを使用している場合、コードの柔軟性が低い。このため、後側外ケース２００の鉛直な側面に開口したコード収納部２３０内に、直接に電源コードを適切に収納するのは相当の困難を伴う。
【００３１】
これに対し、電源コードをコード収納蓋部３００に置いた後にコード収納蓋部３００を閉めて電源コードをコード収納部２３０内に収納するようにすることで、容易に電源コードをコード収納部２３０内に適切に収納することができる。この際、コード収納蓋部３００には、少なくとも左側壁部３１２と右側壁部３１４とが設けられているため、コード収納蓋部３００の蓋主面部３０１から電源コードがはみ出さないように容易に置くことができる。したがって、プラグが大きく太いキャブタイヤコードの第１種電源コード４００であっても、コードを傷めることなく容易にコード収納部２３０に収納することができる。
【００３２】
このように、電源コードをコード収納部２３０に収納する場合、使用者は、まず、コード収納蓋部３００を開く。前述したように、コード収納蓋部３００の下側が、後側外ケース２００に軸支されている。したがって、使用者がコード収納蓋部３００を開くと、図３に示すように、コード収納蓋部３００の上側が、除湿機１の後側にいる使用者の手前に倒れてくる。
【００３３】
そして、コード収納蓋部３００が完全に開いた状態では、図４から図６に示すように、コード収納蓋部３００の上側が、後側外ケース２００から離間して除湿機１の設置面Ｐに接触する。前述したように、この状態では、コード収納蓋部３００の下側が高くコード収納蓋部３００の上側が低くなるようにコード収納蓋部３００が傾斜している。このため、除湿機１の後側にいる使用者は、容易にコード収納蓋部３００の内側に電源コードを置くことができる。また、コード収納蓋部３００の上側が設置面Ｐに接触しているため、電源コードをコード収納蓋部３００に収納する際に電源コードをコード収納蓋部３００に強く押しつけても、除湿機１が移動や転倒することがなく、容易に電源コードを収納することができる。
【００３４】
また、図２に示すように、コード収納蓋部３００が閉められた状態では、コード収納蓋部３００は鉛直に立っている。したがって、図４から図６に示す状態でコード収納蓋部３００に電源コードを置いた後、コード収納蓋部３００を閉めるときには、コード収納蓋部３００を徐々に起こしていく。この際、コード収納蓋部３００の下側が軸となって回転するため、コード収納蓋部３００の下側が後側外ケース２００から離れることがない。
【００３５】
したがって、コード収納蓋部３００が鉛直に近づくにつれてコード収納蓋部３００からずれて落ちようとする電源コードは、コード収納部２３０内へと入るように落ちていく。このため、コード収納蓋部３００を閉める過程で、コード収納部２３０から電源コードがはみ出してしまうことを抑制できる。
【００３６】
図８は、除湿機１の電源コードが前述した第１種電源コード４００である場合に、この第１種電源コード４００をコード収納蓋部３００に置いた状態の一例を示すものである。同図に示すように、第１種プラグ部４１０の外形を第１種プラグ用ガイド３４３に合わせるようにし、かつ、栓刃が蓋主面部３０１とは反対側に向くようにして、第１種プラグ部４１０を配置する。このように第１種プラグ部４１０を配置すると、プラグ保持部３４１は、第１種プラグ部４１０の第１種コード４２０との接続部分を保持する。そして、緩く束ねた第１種コード４２０を、下側壁部３１１、左側壁部３１２、上側壁部３１３及び右側壁部３１４の内側に入れる。このように、コード収納蓋部３００は、プラグ保持部３４１及び第１種プラグ用ガイド３４３、並びに、下側壁部３１１、左側壁部３１２、上側壁部３１３及び右側壁部３１４を備えることで、容易に蓋主面部３０１の内側に収まるように第１種電源コード４００をコード収納蓋部３００に置くことができる。
【００３７】
第１種電源コード４００がコード収納部２３０の外側にある第１の電源コード出口２０１から後側外ケース２００の外部に延びている場合、図８に示すように第１種コード４２０を第１の切欠部３３１を通した上で、第１種電源コード４００がコード収納蓋部３００に置かれる。このようにすると、図２に示すようにコード収納蓋部３００を閉じた際に、第１の切欠部３３１を通して、第１種電源コード４００がコード収納部２３０の外側からコード収納部２３０内に引き入れられる。すなわち、この場合には、第１の切欠部３３１は、除湿機１の未使用時にコード収納部２３０に電源コードを引き入れるための切欠部として機能している。したがって、除湿機１の運転中は余った電源コードをコード収納蓋部３００に収納できないため、通電中の発熱による電源コードの損傷を防止することができる。
【００３８】
一方、第１種電源コード４００が第２の電源コード出口２３１から延びている場合（図５）、除湿機１の使用時には、コード収納蓋部３００を閉じた際に、第１の切欠部３３１を通して、第１種電源コード４００をコード収納部２３０の内側から後側外ケース２００の外側へと引き出すことができる。すなわち、この場合には、第１の切欠部３３１は、除湿機１の使用時にコード収納部２３０から電源コードを引き出すための切欠部として機能している。
【００３９】
図８に示すように、プラグ保持部３４１は、栓刃が蓋主面部３０１とは反対側に向くようにして第１種プラグ部４１０を保持する。この状態で図２のようにコード収納蓋部３００を閉じると、第１種プラグ部４１０の栓刃はコード収納部２３０の側へと突出する。図３から図５に示すように、コード収納部２３０には、栓刃逃がし孔２３２が形成されている。栓刃逃がし孔２３２はコード収納蓋部３００が閉じた状態で、プラグ保持部３４１に保持された第１種プラグ部４１０の栓刃が通る位置に配置されている。このようにすることで、コード収納部２３０の奥行きを、第１種プラグ部４１０の栓刃を除く部分の厚みを考慮して設定すればよい。したがって、コード収納部２３０の奥行きを小さくすることができる。
【００４０】
電気製品である除湿機１の電源コードは、除湿機１が使用される国、地域等に合わせて異なる種類のものを用いることができる。電源コードは、これまでに説明した第１種電源コード４００の他に、例えば、図９に示すような第２種電源コード５００であってもよい。第２種電源コード５００は、第２種プラグ部５１０と第２種コード５２０とを備えている。第２種プラグ部５１０は、２本の栓刃を有するＡタイプのプラグである。ここでは、第２種コード５２０がいわゆるビニル平型コードである例を示したが、これに限られない。第２種コード５２０は、例えばキャブタイヤ型コードであってもよい。
【００４１】
第１種プラグ部４１０と同じく、第２種プラグ部５１０は、除湿機１の使用時に商用電源のコンセントに接続される。また、第１種電源コード４００と同じく、第２種電源コード５００は、第１の電源コード出口２０１から後側外ケース２００の外部に延びて設けられてもよいし、第２の電源コード出口２３１から後側外ケース２００の外部に延びて設けられてもよい。
【００４２】
図７に示すように、第２種プラグ用ガイド３４４は、第２種電源コード５００をコード収納蓋部３００に置く際に、第２種プラグ部５１０を配置する向き及び位置を示している。ここでは、第２種プラグ用ガイド３４４は、例えば、適切な向き及び位置で配置された第２種プラグ部５１０のイラストである。
【００４３】
図９は、除湿機１の電源コードが第２種電源コード５００である場合に、この第２種電源コード５００をコード収納蓋部３００に置いた状態の一例を示すものである。同図では、第２種コード５２０の一部の図示を省略している。同図に示すように、第２種プラグ部５１０を、第２種プラグ用ガイド３４４のイラストに合わせて配置する。このように第２種プラグ部５１０を配置すると、プラグ保持部３４１は、第２種プラグ部５１０を保持する。そして、図示は省略するが、緩く束ねた第２種コード５２０を、下側壁部３１１、左側壁部３１２、上側壁部３１３及び右側壁部３１４の内側に入れる。このように、コード収納蓋部３００は、プラグ保持部３４１及び第２種プラグ用ガイド３４４、並びに、下側壁部３１１、左側壁部３１２、上側壁部３１３及び右側壁部３１４を備えることで、容易に蓋主面部３０１の内側に収まるように第２種電源コード５００をコード収納蓋部３００に置くことができる。
【００４４】
以上のように、この発明の実施の形態１に係るコード収納蓋部３００は、除湿機１の電源コードが第１種電源コード４００であっても、第２種電源コード５００であっても、両方の場合に共通して使用することができる。そして、第１種電源コード４００と第２種電源コード５００の両方を容易に蓋主面部３０１の内側に収まるようにコード収納蓋部３００に置くことができる。特に、第１種電源コード４００の場合は第１種プラグ用ガイド３４３を用いて第１種プラグ部４１０を配置し、第２種電源コード５００の場合は第２種プラグ用ガイド３４４を用いて第２種プラグ部５１０を配置することで、１つのプラグ保持部３４１で、第１種プラグ部４１０と第２種プラグ部５１０の両方を保持することができる。
【００４５】
図７に示すように、コード収納蓋部３００には、第２の切欠部３３２が形成されている。第２の切欠部３３２は、上側壁部３１３から蓋主面部３０１にかけて形成されている。すなわち、上側壁部３１３の左側壁部３１２寄りの部分は途切れており、上側壁部３１３に隙間が形成されている。そして、この上側壁部３１３の隙間に接続するようにして、蓋主面部３０１が半長円状に欠けている。第２の切欠部３３２のうち蓋主面部３０１に形成された半長円状の部分は、ホース通過部３３２ａである。
【００４６】
蓋主面部３０１には、ホース蓋部３５１及びホース蓋保持部３５２が設けられている。ホース蓋部３５１は、ホース通過部３３２ａを開閉自在に塞ぐものである。ホース蓋部３５１の上側壁部３１３とは反対側の端部は、蓋主面部３０１に回転可能に取り付けられている。ホース蓋部３５１を蓋主面部３０１に対して回転させることで、ホース通過部３３２ａを開閉することができる。
【００４７】
図７に示すのは、ホース蓋部３５１でホース通過部３３２ａを閉じた状態である。そして、図１０に示すのが、ホース蓋部３５１でホース通過部３３２ａを開いた状態である。ホース通過部３３２ａを開いた状態では、ホース蓋部３５１の一部がホース蓋保持部３５２に係合される。そして、ホース蓋保持部３５２によりホース蓋部３５１が開いた状態を保持することができる。
【００４８】
図１１に示すように、除湿機１は、熱交換器２１、ドレンパン２２、貯水タンク６００及びドレンホース２３を備えている。熱交換器２１及びドレンパン２２は、前側外ケース１００及び後側外ケース２００で構成される筐体の内部に設けられる。熱交換器２１は、吸込口２１０から筐体内部に吸い込んだ空気を冷却し、当該空気中に含まれる水分を凝縮させる。ドレンパン２２は、熱交換器２１の下方に配置されている。ドレンパン２２は、熱交換器２１で凝縮されて生じたドレン水を受けて貯水タンク６００に導く。貯水タンク６００はドレン水を貯溜する。貯水タンク６００が満水になると、除湿機１は運転を停止する。
【００４９】
ドレンパン２２には、ドレンホース２３を接続することができる。ドレンホース２３は、ドレンパン２２が受けたドレン水を、貯水タンク６００に貯留せずに除湿機１の外部に排出するためのものである。ドレンホース２３は、コード収納部２３０から後側外ケース２００の外側に延びるように取り付けられる。
【００５０】
ホース蓋部３５１でホース通過部３３２ａを開いた状態で、コード収納蓋部３００を閉じると、ドレンホース２３をホース通過部３３２ａに通してコード収納蓋部３００の外に出すことができる。このようにすることで、ドレンホース２３の接続部分をコード収納蓋部３００で隠されるコード収納部２３０に入れることができ、外観の意匠性を向上することができる。
【００５１】
ドレンホース２３を使用せずに除湿機１を設置する場合には、ホース蓋部３５１でホース通過部３３２ａを閉じることで、外観の意匠性を向上することができる。また、ドレンホース２３を使用しない場合に、ホース通過部３３２ａから内部に異物等が侵入することを防止できる。
【産業上の利用可能性】
【００５２】
この発明は、電気製品の外装をなす外ケースを備え、当該電気製品の電源コードを収納可能な電気製品の筐体に利用できる。
【符号の説明】
【００５３】
１    除湿機（電気製品）
１１    ハンドル
１２    キャスター
２１    熱交換器
２２    ドレンパン
２３    ドレンホース
１００    前側外ケース（外ケース）
１１０    操作パネル
２００    後側外ケース（外ケース）
２０１    第１の電源コード出口
２１０    吸込口
２２０    吹出口
２３０    コード収納部
２３１    第２の電源コード出口
２３２    栓刃逃がし孔
３００    コード収納蓋部（蓋部）
３０１    蓋主面部
３１１    下側壁部（壁部）
３１２    左側壁部（壁部）
３１３    上側壁部（壁部）
３１４    右側壁部（壁部）
３２１    軸部
３３１    第１の切欠部（切欠部）
３３２    第２の切欠部
３３２ａ  ホース通過部
３４１    プラグ保持部
３４２    コードガイド部
３４３    第１種プラグ用ガイド
３４４    第２種プラグ用ガイド
３５１    ホース蓋部
３５２    ホース蓋保持部
４００    第１種電源コード（電源コード）
４１０    第１種プラグ部（プラグ部）
４２０    第１種コード
５００    第２種電源コード（電源コード）
５１０    第２種プラグ部（プラグ部）
５２０    第２種コード
６００    貯水タンク
【図１】
0006677342.tif 000002
【図２】
0006677342.tif 000003
【図３】
0006677342.tif 000004
【図４】
0006677342.tif 000005
【図５】
0006677342.tif 000006
【図６】
0006677342.tif 000007
【図７】
0006677342.tif 000008
【図８】
0006677342.tif 000009
【図９】
0006677342.tif 000010
【図１０】
0006677342.tif 000011
【図１１】
0006677342.tif 000012